(57)【要約】【課題】光源基板に配列された点光源と原稿面との距離を一定に保って原稿面の照度分布を均一化することによって、高質画像を安定的に得ることができる画像読取装置を提供すること。【解決手段】複数の点光源３０を光源基板３１上に主走査方向に配列して成る光源２２を備え、該光源２２から原稿面に向かって出射される光によって原稿面を走査して原稿画像を読み取る画像読取装置において、前記光源基板３１を中間取付部材３３に取り付け、該中間取付部材３３を光源基板３１と共に第１走査枠体２８と基板取付部材２８Ａに位置決め固定する。又、光源基板３１を中間取付部材３３に接着剤にて位置決め固定する。【選択図】図６
2008102380.tif 000002
【特許請求の範囲】
【請求項１】
複数の点光源を光源基板上に主走査方向に配列して成る光源を備え、該光源から原稿面に向かって出射される光によって原稿面を走査して原稿画像を読み取る画像読取装置において、
前記光源基板を中間取付部材に取り付け、該中間取付部材を光源基板と共に走査枠体に位置決め固定したことを特徴とする原稿読取装置。
【請求項２】
前記光源基板を前記中間取付部材に対して治具にて位置調整した後に中間取付部材に取り付けることを特徴とする請求項１記載の画像読取装置。
【請求項３】
複数の点光源を光源基板上に主走査方向に配列して成る光源を備え、該光源から原稿面に向かって出射される光によって原稿面を走査して原稿画像を読み取る画像読取装置において、
前記光源基板を被取付部材に接着剤にて位置決め固定したことを特徴とする画像読取装置。
【請求項４】
前記光源基板を接着剤にて中間取付部材に接着し、該中間取付部材を光源基板と共に走査枠体に位置決め固定したことを特徴とする請求項３記載の原稿読取装置。
【請求項５】
前記接着剤として光硬化タイプ、紫外線硬化タイプ又は２液混合硬化タイプの接着剤の何れかを使用することを特徴とする請求項３又は４記載の画像読取装置。
【請求項６】
複数の点光源を光源基板上に主走査方向に配列して成る光源を備え、該光源から原稿面に向かって出射される光によって原稿面を走査して原稿画像を読み取る画像読取装置において、
前記光源基板を長手方向に複数枚に分割し、各分割片を被取付部材に位置決め固定したことを特徴とする画像読取装置。
【請求項７】
前記光源基板の各分割片を中間取付部材に取り付け、該中間取付部材を光源基板と共に走査枠体に位置決め固定したことを特徴とする請求項６記載の画像読取装置。
【請求項８】
前記光源基板の各分割片の長手方向両端を被取付部材に取り付けたことを特徴とする請求項６又は７記載の画像読取装置。
【請求項９】
前記光源基板の各分割片の隣接する点光源間の部位を被取付部材に取り付けたことを特徴とする請求項６又は７記載の画像読取装置。
【請求項１０】
請求項１〜９の何れかに記載の画像読取装置と、該画像読取装置によって読み取られた画像データに基づいて記録材上に画像を形成する画像形成手段を有することを特徴とする画像形成装置。
【発明の詳細な説明】
【技術分野】
【０００１】
本発明は、主走査方向に複数個配列された点光源からの光によって原稿を走査して光電変換素子によって画像を読み取る画像読取装置とこれを備えた複写機、プリンタ、ファクシミリ等の画像形成装置に関するものである。
【背景技術】
【０００２】
電子写真方式を採用する複写機やレーザービームプリンタ等の画像形成装置においては、コンタクトガラス上に載置された原稿を光走査して読み取る画像読取装置が設けられており、この画像読取装置によって読み取られた画像データに基づいて画像が画像形成手段によって用紙等の記録材上に形成される。ここで、画像形成手段には、感光ドラム、現像装置、転写装置、定着装置等の各種プロセス機器が含まれる。
【０００３】
ところで、画像読取装置は、原稿が載置される透明なコンタクトガラスと、該コンタクトガラス上に載置された原稿に向かって光を出射する光源と、原稿面で反射した反射光を更に反射させてその方向を変更する複数のミラーと、反射光を集光するレンズと、該レンズによって集光された反射光を読み取る光ＣＣＤセンサ等の電変換素子を含んで構成されている。
【０００４】
斯かる画像形成装置の光源としてはＬＥＤ等の点光源が使用されており、特許文献１には、点光源を主走査方向に配列した読取光学系において原稿面の照度分布を良好に保つために、配光特性の異なる点光源を配列したり、点光源に供給する電流値を調整したり、点光源の配列ピッチを端部ほど狭くする等の提案がなされている。
【特許文献１】特開２００４−１７７８５１号公報
【発明の開示】
【発明が解決しようとする課題】
【０００５】
しかしながら、特許文献１には、点光源を配列した基板の取付構造は明確に開示されていない。点光源を用いる場合、点光源を配列した基板が走査方向に細長くなるため、該基板の反りが懸念される。特に、点光源が点灯すると熱が発生し、この熱によって基板に反りが発生する。そして、点光源を配列した基板が反ってしまうと、点光源と原稿面との距離が変化して原稿面の照度分布が不均一となり、画像品質が低下するという問題があった。
【０００６】
本発明は上記問題に鑑みてなされたもので、その目的とする処は、光源基板に配列された点光源と原稿面との距離を一定に保って原稿面の照度分布を均一化することによって、高質画像を安定的に得ることができる画像読取装置及びこれを備えた画像形成装置を提供することにある。
【課題を解決するための手段】
【０００７】
上記目的を達成するため、請求項１記載の発明は、複数の点光源を光源基板上に主走査方向に配列して成る光源を備え、該光源から原稿面に向かって出射される光によって原稿面を走査して原稿画像を読み取る画像読取装置において、前記光源基板を中間取付部材に取り付け、該中間取付部材を光源基板と共に走査枠体に位置決め固定したことを特徴とする。
【０００８】
請求項２記載の発明は、請求項１記載の発明において、前記光源基板を前記中間取付部材に対して治具にて位置調整した後に中間取付部材に取り付けることを特徴とする。
【０００９】
請求項３記載の発明は、複数の点光源を光源基板上に主走査方向に配列して成る光源を備え、該光源から原稿面に向かって出射される光によって原稿面を走査して原稿画像を読み取る画像読取装置において、前記光源基板を被取付部材に接着剤にて位置決め固定したことを特徴とする。
【００１０】
請求項４記載の発明は、請求項３記載の発明において、前記光源基板を接着剤にて中間取付部材に接着し、該中間取付部材を光源基板と共に走査枠体に位置決め固定したことを特徴とする。
【００１１】
請求項５記載の発明は、請求項３又は４記載の発明において、前記接着剤として光硬化タイプ、紫外線硬化タイプ又は２液混合硬化タイプの接着剤の何れかを使用することを特徴とする。
【００１２】
請求項６記載の発明は、複数の点光源を光源基板上に主走査方向に配列して成る光源を備え、該光源から原稿面に向かって出射される光によって原稿面を走査して原稿画像を読み取る画像読取装置において、前記光源基板を長手方向に複数枚に分割し、各分割片を被取付部材に位置決め固定したことを特徴とする。
【００１３】
請求項７記載の発明は、請求項６記載の発明において、前記光源基板の各分割片を中間取付部材に取り付け、該中間取付部材を光源基板と共に走査枠体に位置決め固定したこと特徴とする。
【００１４】
請求項８記載の発明は、請求項６又は７記載の発明において、前記光源基板の各分割片の長手方向両端を被取付部材に取り付けたことを特徴とする。
【００１５】
請求項９記載の発明は、請求項６又は７記載の発明において、前記光源基板の各分割片の隣接する点光源間の部位を被取付部材に取り付けたことを特徴とする。
【００１６】
請求項１０記載の発明は、請求項１〜９の何れかに記載の画像読取装置と、該画像読取装置によって読み取られた画像データに基づいて記録材上に画像を形成する画像形成手段を含んで画像形成装置を構成したことを特徴とする。
【発明の効果】
【００１７】
請求項１記載の発明によれば、点光源を配列して成る光源基板と基板取付部材との間に中間取付部材を介在させたため、光源基板と基板取付部材との位置関係を高精度に保つことができ、光源基板に配列された点光源と原稿面との距離を一定に保って原稿面の照度分布を均一化することができ、これによって高質画像を安定的に得ることができる。
【００１８】
請求項２記載の発明によれば、光源基板を中間取付部材に対して治具にて位置調整した後に中間取付部材に取り付けるようにしたため、光源基板の中間取付部材への位置精度が更に高められる。
【００１９】
請求項３及び５記載の発明によれば、光源基板を被取付部材に接着剤にて位置決め固定したため、点光源が点灯して熱が発生しても、この熱による基板に反りが防がれ、点光源と原稿面との距離が一定に保たれて原稿面の照度分布が均一となり、高質画像を安定的に得ることができる。
【００２０】
請求項４及び５記載の発明によれば、被取付部材に接着剤にて位置決め固定された光源基板と基板取付部材との間に中間取付部材を介在させたため、光源基板と基板取付部材との位置関係を高精度に保つことができ、光源基板に配列された点光源と原稿面との距離を一定に保って原稿面の照度分布を均一化することができ、これによって高質画像を安定的に得ることができる。
【００２１】
請求項６記載の発明によれば、光源基板を長手方向に複数枚に分割し、各分割片を被取付部材に位置決め固定したため、点光源が点灯して熱が発生しても、この熱による各分割片の熱膨張が小さく抑えられる。このため、各分割片の反りが防がれ、この結果、点光源と原稿面との距離が一定に保たれて原稿面の照度分布が均一となり、高質画像を安定的に得ることができる。
【００２２】
請求項７記載の発明によれば、光源基板を長手方向に複数枚に分割し、各分割片を基板取付部材に固定したため、各分割片の反りが防がれて高質画像を安定的に得ることができる他、光源基板と基板取付部材との間に中間取付部材を介在させたため光源基板と基板取付部材との位置関係を高精度に保つことができる。
【００２３】
請求項８又は９記載の発明によれば、光源基板の各分割片の長手方向両端又は隣接する点光源間の部位を被取付部材に取り付けたため、各分割片の熱膨張を抑えて反りの発生を防ぎ、原稿面の照度分布を均一化して高質画像を安定的に得ることができる。
【００２４】
請求項１０記載の発明によれば、画像読取装置によって高精度に読み取られた画像データに基づいて高質画像を安定的に得ることができる。
【発明を実施するための最良の形態】
【００２５】
以下に本発明の実施の形態を添付図面に基づいて説明する。
【００２６】
［画像形成装置］
図１は本発明に係る画像形成装置の一形態としてのカラー複写機の正断面図であり、図示のカラー複写機は、本体１００の上部に本発明に係る画像読取装置２０を備え、本体１００の内部中央部には、画像形成手段を構成するマゼンタ画像形成ユニット１Ｍ、シアン画像形成ユニット１Ｃ、イエロー画像形成ユニット１Ｙ及びブラック画像形成ユニット１ＢＫが一定の間隔で一列に配置されている。
【００２７】
画像形成手段である前記各画像形成ユニット１Ｍ，１Ｃ，１Ｙ，１ＢＫには、像担持体としてのドラム型電子写真感光体（以下、「感光ドラム」と称する）２ａ，２ｂ，２ｃ，２ｄがそれぞれ設置されている。そして、各感光ドラム２ａ〜２ｄの周囲には、一次帯電器３ａ，３ｂ，３ｃ，３ｄ、現像装置４ａ，４ｂ，４ｃ，４ｄ、一次転写手段としての転写ローラ５ａ，５ｂ，５ｃ，５ｄ、ドラムクリーニング装置６ａ，６ｂ，６ｃ，６ｄがそれぞれ配置されている。
【００２８】
前記感光ドラム２ａ〜２ｄは、ドラム状のアモルファスシリコン（α−Ｓｉ）感光体であって、不図示の駆動装置によって図示矢印方向（図１において反時計方向）に所定のプロセススピードで回転駆動される。
【００２９】
又、前記一次帯電器３ａ〜３ｄは、不図示の帯電バイアス電源から印加される帯電バイアスによって各感光ドラム２ａ〜２ｄの表面を所定の電位に均一に帯電させるものである。
【００３０】
更に、前記現像装置４ａ〜４ｄは、マゼンタ（Ｍ）トナー、シアン（Ｃ）トナー、イエロー（Ｙ）トナー、ブラック（ＢＫ）トナーをそれぞれ内蔵しており、各感光ドラム２ａ〜２ｄ上に形成される各静電潜像に各色のトナーを付着させて各静電潜像を各色のトナー像として現像（可視像化）するものであって、トナーが消費されて各現像装置４ａ〜４ｄでのトナー残量が一定値未満になったためにトナー補給信号が発せられると、トナー補給装置７ａ，７ｂ，７ｃ，７ｄから各現像装置４ａ〜４ｄに各色のトナーが補給される。尚、各トナー補給装置７ａ〜７ｄは、複写機本体１００に対して着脱可能なカートリッジとして構成されている。
【００３１】
又、一次転写手段としての前記転写ローラ５ａ〜５ｄは、各一次転写部（一次転写ニップ部）にて無端状の中間転写ベルト８を介して各感光ドラム２ａ〜２ｄに当接可能に配置されている。ここで、中間転写ベルト８は、第２の像担持体を構成しており、二次転写対向ローラ９とテンションローラ１０との間に張架されて各感光ドラム２ａ〜２ｄの上面側に走行可能に配置されている。又、前記二次転写対向ローラ９は、二次転写部（二次転写ニップ部）において中間転写ベルト８を介して二次転写ローラ１１に当接可能に配置されている。尚、中間転写ベルト８の材質としては、例えばポリカーボネイト、ポリエチレンテレフタレート（ＰＥＴ）、ポリフッ化ビニリデン（ＰＶｄＦ）等の誘電体樹脂が選定される。又、図示しないが、中間転写ベルト８の外側であって、且つ、テンションローラ１０の近傍には、中間転写ベルト８の表面に残留する転写残トナーを除去するためのベルトクリーニング装置が設置されている。
【００３２】
他方、複写機本体１００の内部の各画像形成ユニット１Ｍ，１Ｃ，１Ｙ，１ＢＫの下方にはレーザースキャナユニット４０が配置され、その下方の本体１００の底部には給紙カセット５０が着脱可能に設置されており、この給紙カセット５０には複数枚の記録材Ｐが積層収納されている。そして、給紙カセット５０の近傍には、給紙カセット５０から記録材Ｐを１枚ずつ搬送パス１２へと送り出すためのピックアップローラ１３が設けられている。
【００３３】
又、複写機本体１００内の一側部に縦方向に配置された前記搬送パス１２は、本体１００の上面に設けられた排紙トレイ１４まで延びており、その途中には給紙ローラ対１５、レジストローラ対１６、定着ローラ１７ａと加圧ローラ１７ｂを有する定着装置１７及び排紙ローラ対１８が設けられている。
【００３４】
次に、以上の構成を有するカラー複写機による画像形成動作について説明する。
【００３５】
画像形成開始信号が発せられると、各画像形成ユニット１Ｍ，１Ｃ，１Ｙ，１ＢＫにおいて各感光ドラム２ａ〜２ｄが所定のプロセススピードで図１の矢印方向に回転駆動され、これらの感光ドラム２ａ〜２ｄは、一次帯電器３ａ〜３ｄによって正極性に一様に帯電される。又、レーザースキャナユニット４０は、画像読取装置２０によって読み取られた原稿画像の各色毎のカラー画像信号によって変調されたレーザー光をレーザー出力部４１から出射し、そのレーザー光をレンズ４２、複数のミラー４３及びレンズ４４を経て各感光ドラム２ａ〜２ｄの表面に投影し、各感光ドラム２ａ〜２ｄ上に各色のカラー画像信号に対応した静電潜像をそれぞれ形成する。
【００３６】
そして、先ずマゼンタ画像形成ユニット１Ｍの感光ドラム２ａ上に形成された静電潜像に、該感光ドラム２ａの帯電極性と同極性の現像バイアスが印加された現像装置４ａにより、マゼンタトナーを付着させて該静電潜像をマゼンタトナー像として可視像化する。このマゼンタトナー像は、感光ドラム２ａと転写ローラ５ａとの間の一次転写部において、トナーと逆極性の一次転写バイアスが印加された転写ローラ５ａの作用によって、図示矢印方向に回転駆動されている中間転写ベルト８上に一次転写される。
【００３７】
上述のようにしてマゼンタトナー像が一次転写された中間転写ベルト８は、次のシアン画像形成ユニット１Ｃヘと移動する。そして、シアン画像形成ユニット１Ｃにおいても、前記と同様にして、感光ドラム２ｂ上に形成されたシアントナー像が一次転写部において中間転写ベルト８上のマゼンタトナー像上に重ね合わせて転写される。
【００３８】
以下同様にして、中間転写ベルト８上に重畳転写されたマゼンタ及びシアントナー像上に、イエロー及びブラック画像形成ユニット１Ｙ，１ＢＫの感光ドラム２ｃ，２ｄ上にそれぞれ形成されたイエロー及びブラックトナー像が各一次転写部において順次重ね合わせられ、中間転写ベルト８上にはフルカラーのトナー像が形成される。尚、中間転写ベルト８上に転写されないで各感光ドラム２ａ〜２ｄ上に残留する転写残トナーは、各ドラムクリーニング装置６ａ〜６ｄによって除去され、不図示の廃トナー搬送手段によって搬送されて各トナー供給装置７ａ〜７ｄに一体に形成されたトナー回収容器に廃トナーとして回収される。
【００３９】
他方、給紙カセット５０からは１枚の記録材Ｐがピックアップローラ１３及び給紙ローラ対１５によって搬送パス１２へと送り出され、この記録材Ｐは、中間転写ベルト８上のフルカラートナー像の先端が二次転写対向ローラ９と二次転写ローラ１１間の二次転写部に達するタイミングに合わせて、レジストローラ対１６によって二次転写部へと搬送される。
【００４０】
そして、二次転写部に搬送された記録材Ｐに、トナーと逆極性の二次転写バイアスが印加された二次転写ローラ１１によって形成される転写電界の作用によってフルカラーのトナー像が中間転写ベルト８から記録材Ｐ上に一括して二次転写される。
【００４１】
而して、フルカラーのトナー像が転写された記録材Ｐは、除電処理されて中間転写ベルト８から静電分離された後、定着装置１７へと搬送される。定着装置１７においては、定着ローラ１７ａと加圧ローラ１７ｂとの間の定着ニップ部でフルカラーのトナー像が加熱及び加圧されて記録材Ｐの表面に熱定着され、トナー像の定着を受けた記録材Ｐが排紙ローラ対１８によって排紙トレイ１４上に排出されることによって一連の画像形成動作が完了する。尚、記録材Ｐ上に転写されないで中間転写ベルト８上に残留する二次転写残トナーは、不図示のベルトクリーニング装置によって除去され、不図示の廃トナー搬送手段によって搬送されて不図示のトナー回収容器に廃トナーとして回収される。
【００４２】
尚、以上は本発明を特にカラー複写機に適用した形態について説明したが、本発明は、プリンタ、ファクシミリ等の他の任意の画像形成装置を適用対象とする。
【００４３】
［画像読取装置］
次に、本発明に係る前記画像読取装置２０の構成の詳細を添付図面に基づいて説明する。
【００４４】
［第１及び第２発明］
図２は本発明に係る画像読取装置の正断面図、図３は同画像読取装置の平面図であり、図示の画像読取装置２０は、不図示の原稿が載置される透明なコンタクトガラス２１と、該コンタクトガラス２１上に載置された原稿Ｇの画像を読み取る画像読取位置Ｘ（図２参照）に向かって光を出射する光源２２と、画像読取位置Ｘで反射した反射光を更に反射させてその方向を変更する複数のミラー２３，２４，２５と、反射光を集光するレンズ２６と、該レンズ２６によって集光された反射光を読み取る光電変換素子であるＣＣＤセンサ２７を含んで構成されている。ここで、前記光源２２とミラー２３とは第１走査枠体２８に支持されており、前記ミラー２４，２５は第２走査枠体に支持されており、これらの第１及び第２走査枠体２８，２９は、コンタクトガラス２１の下方を図２及び図３の左右方向（副走査方向）に移動してコンタクトガラス２１上に載置された原稿Ｇを光学的に走査する。
【００４５】
而して、前記光源２２は、図３に示すように、ＬＥＤ等の複数の点光源３０を細長い光源基板３１上に主走査方向（図３の上下方向）に適当な間隔で配列して構成されているが、以下、その取付構造の実施形態について説明する。
【００４６】
＜実施の形態１＞
図４は実施の形態１に係る光源の取付構造を示す第１走査枠体の側面図、図５は図４の矢視Ａ方向の図である。
【００４７】
図４に示すように、第１走査枠体２８には、主走査方向（図４の紙面垂直方向）に長い基板取付部材２８Ａが切り起こしによって斜めに形成されており、該基板取付部材２８Ａに対向する位置には、同じく切り起こしによって反射板取付部材２８Ｂが形成されている。そして、反射板取付部材２８Ｂには、光源から出射される光を画像読取位置Ｘに集光させるための反射板３２が取り付けられている。
【００４８】
ところで、図５に示すように、光源基板３１の長手方向一端には円孔状の取付孔３１ａが形成されており、長手方向他端には長手方向に長い長孔状の取付孔３１ｂが形成されている。そして、複数の点光源３０を配列して成る光源基板３１は、その長手方向両端に形成された取付孔３１ａ，３１ｂに挿通する不図示のビスによって前記基板取付部材２８Ａに取り付けられるとともに、長手方向中間部が接着剤によって基板取付部材２８Ａに固定されている。尚、接着剤としては、光硬化タイプ、紫外線硬化タイプ又は２液混合硬化タイプの接着剤を使用することができる。又、光源基板３１の接着剤による固定箇所と固定点数は任意であって、特に限定されるものではない。
【００４９】
以上のように、本実施の形態では、光源基板３１の長手方向両端をビスにて基板取付部材２８Ａに取り付けるとともに、光源基板３１の長手方向中間部を接着剤によって基板取付部材２８Ａに固定したため、点光源３０が点灯して熱が発生しても、この熱による光源基板３１に反りが防がれ、点光源３０と原稿面との距離が一定に保たれて原稿面の照度分布が均一となり、高質画像を安定的に得ることができる。
【００５０】
ところで、光源基板３１は、点光源３０を配列するだけの機能だけを考慮すると、短手方向には長さを必要としないが、長手方向の中間位置をビス止めする場合は短手方向の長さ（幅）が大きくなってしまう。
【００５１】
然るに、本実施の形態では、光源基板３１の長手方向中間部を接着剤で固定したため、該光源基板３１の短手方向の長さ（幅）を最小限に抑えることができ、画像読取装置２０の小型化と光源基板３１自体の無駄なコストアップを避けることができる。
【００５２】
＜実施の形態２＞
次に、本発明の実施の形態２を図６〜図８に基づいて説明する。
【００５３】
図６は実施の形態２に係る光源の取付構造を示す第１走査枠体の側面図、図７は図６の矢視Ｂ方向の図、図８は中間取付部材の基板取付部材への取付要領を示す側面図であり、これらの図においては図５及び図６に示したものと同一要素には同一符号を付しており、以下、それらについての再度の説明は省略する。
【００５４】
本実施の形態は、複数の点光源３０を配列して成る光源基板３１を中間取付部材３３に取り付け、該中間取付部材３３を光源基板３１と共に第１走査枠体２８の基板取付部材２８Ａに位置決め固定することを特徴とする。
【００５５】
即ち、図７に示すように、光源基板３１の長手方向両端には長孔状の取付孔３１ａ，３１ｂが形成されており、中間取付部材３３の長手方向一端には円孔状の位置決め孔３３ａと取付孔３３ｂが形成され、長手方向他端には長孔状の位置決め孔３３ｃと取付孔３３ｄが形成されている。又、図８に示すように、基板取付部材２８Ａの長手方向両端部（図８の紙面垂直方向の両端部）には円柱状の位置決め突起（半押し）２８ａとネジ孔２８ｂがそれぞれ形成されている。
【００５６】
而して、光源基板３１は、その長手方向両端部に形成された取付孔３１ａ，３１ｂに挿通する不図示のビスによって中間取付部材３３に取り付けられる。尚、この場合、実施の形態１と同様に、光源基板３１の長手方向中間部を接着剤にて中間取付部材３３に固定しても良い（図７参照）。
【００５７】
次に、光源基板３１が取り付けられた中間取付部材３３の長手方向両端部に形成された位置決め孔３３ａ，３３ｃに基板取付部材２８Ａに形成された位置決め突起２８ａを嵌め込んで中間取付部材３３を基板取付部材２８Ａに位置決めした後、該中間取付部材３３の長手方向両端部に形成された取付孔３３ｂ，３３ｄに挿通する不図示のビスを基板取付部材２８Ａに形成されたネジ孔２８ｂにネジ込むことによって、中間取付部材３３を光源基板３１と共に基板取付部材２８Ａに位置決め固定する。
【００５８】
ここで、中間取付部材３３は位置決め孔３３ａ，３３ｃを有しているため、光源基板３１を中間取付部材３３に対して治具にて位置調整した後に中間取付部材３３に高精度に取り付けることができる。そして、例えば、治具にて光源基板３１と中間取付部材３３を保持し、モータのパルス数で位置管理することも可能である。或は、点光源３０を点灯し、配光を確認しながら位置決めすることができる治具を用いれば、光源基板３１の中間取付部材３３への位置精度が更に高められる。尚、中間取付部材３３の基板取付部材２８Ａに対する位置決めは、位置決め突起２８ａの位置決め孔３３ａ，３３ｃへの嵌合に限らず、例えば基板取付部材２８Ａにピン等を立設し、このピン等を中間取付部材３３に形成された位置決め孔に貫通させる構成を採用しても良い。
【００５９】
而して、本実施の形態では、点光源３０を配列して成る光源基板３１と基板取付部材２８Ａとの間に中間取付部材３３を介在させたため、光源基板３１と基板取付部材２８Ａとの位置関係を高精度に保つことができ、光源基板３１に配列された点光源３０と原稿面との距離を一定に保って原稿面の照度分布を均一化することができ、これによって高質画像を安定的に得ることができる。
【００６０】
＜実施の形態３＞
次に、本発明の実施の形態３を図９〜図１１に基づいて説明する。
【００６１】
図９は実施の形態３に係る光源の取付構造を示す第１走査枠体の側面図、図１０は図９の矢視Ｃ方向の図、図１１は中間取付部材の基板取付部材への取付要領を示す側面図であり、これらの図においては図６〜図８に示したものと同一要素には同一符号を付しており、以下、それらについての再度の説明は省略する。
【００６２】
本実施の形態は、第１走査枠体２８に切り起こしを形成することなく、複数の点光源３０を配列して成る光源基板３１を略台形枠状の剛性の高い中間取付部材３４に取り付け、該中間取付部材３４を光源基板３１と共に第１走査枠体２８の平坦面に位置決め固定することを特徴とする。
【００６３】
即ち、図１０に示すように、光源基板３１の長手方向両端には長孔状の取付孔３１ａが形成されており、図１１に示すように、中間取付部材３４の両フランジ部３４Ａ，３４Ｂの長手方向両端と中間部の各３箇所には円孔状の取付孔３４ａが形成され（図１１には一方のフランジ部３４ａについてのみ図示）、一方のフランジ部３４Ｂの長手方向両端部には長孔状の位置決め孔３４ｂが形成されている（図１０参照）。又、図１１に示すように、第１走査枠体２８の幅方向両端縁（図１１の左右両端縁）の長手方向両端部と中間部の各３箇所にはネジ孔２８ｂがそれぞれ形成されており、幅方向一端部（図１１の右端部）の長手方向両端部には円柱状の位置決め突起（半押し）２８ａが突設されている。
【００６４】
而して、光源基板３１は、その長手方向両端部に形成された取付孔３１ａに挿通する不図示のビスによって中間取付部材３４に取り付けられる。尚、この場合、実施の形態１と同様に、光源基板３１の長手方向中間部を接着剤にて中間取付部材３４に固定しても良い（図１０参照）。
【００６５】
次に、光源基板３１が取り付けられた中間取付部材３４の長手方向両端部に形成された位置決め孔３４ｂに第１走査枠体２８に形成された位置決め突起２８ａを嵌め込んで位置決めした後、該中間取付部材３４の両フランジ部３４Ａ，３４Ｂの各３箇所に形成された取付孔３４ａに挿通するビス３５を第１走査枠体２８に形成されたネジ孔２８ｂにネジ込むことによって、中間取付部材３４を光源基板３１と共に第１走査枠体２８に位置決め固定する。
【００６６】
ここで、中間取付部材３４は位置決め孔３４ｂを有しているため、前記実施の形態２と同様に、光源基板３１を中間取付部材３４に対して治具にて位置調整した後に中間取付部材３４に高精度に取り付けることができる。
【００６７】
而して、本実施の形態においても、前記実施の形態２と同様に、点光源３０を配列して成る光源基板３１と第１走査枠体２８との間に中間取付部材３４を介在させたため、光源基板３１と第１走査枠体２８との位置関係を高精度に保つことができ、光源基板３１に配列された点光源３０と原稿面との距離を一定に保って原稿面の照度分布を均一化することができ、これによって高質画像を安定的に得ることができる。特に、本実施の形態では、中間取付部材３４の剛性が高く、第１走査枠体２８に切り起こしが形成されていないため、これらの強度アップが図られる。
【００６８】
［第３発明］
次に、第３発明の実施の形態を添付図面に基づいて説明する。
【００６９】
図１２は第３発明に係る画像読取装置の平面図であり、同図に示すように、本発明は、光源基板３１を長手方向に複数枚（図示例では、３枚）に分割し、各分割片３１−１，３１−２，３１−３を被取付部材である第１走査枠体２８（基板取付部材２８Ａ）に位置決め固定したことを特徴とする。尚、本発明に係る画像読取装置２０の他の構成は、前記第１及び第２発明に係る画像読取装置２０のそれと同じであり、図１２においては図３に示したものと同一要素には同一符号を付している。
【００７０】
而して、光源２２は、図１２に示すように、光源基板３１の各分割片３１−１，３１−２，３１−３にＬＥＤ等の複数（図示例では３つ）の点光源３０を主走査方向（図１２の上下方向）に適当な間隔でそれぞれ配列して構成されているが、以下、その取付構造の実施形態について説明する。
【００７１】
＜実施の形態１＞
図１３は本発明の実施の形態１に係る光源の取付構造を示す第１枠体の側面図、図１４（ａ），（ｂ）は図１３の矢視Ｄ方向の図であり、これらの図においては図４及び図５に示したものと同一要素には同一符号を付している。
【００７２】
図１３に示すように、第１走査枠体２８には、主走査方向（図１３の紙面垂直方向）に長い基板取付部材２８Ａが切り起こしによって斜めに形成されており、該基板取付部材２８Ａに光源基板３１が位置決め固定されている。
【００７３】
ここで、光源基板３１は、図１４（ａ），（ｂ）に示すように、長手方向に３枚に分割されており、各分割片３１−１，３１−２，３１−３は、図１４（ａ）に示すように、その長手方向両端に形成された取付孔３１ａに挿通する不図示のビスによって基板取付部材２８Ａに固定され、或は、図１４（ｂ）に示すように、隣接する点光源３０間の中間に形成された取付孔３１ａに挿通する不図示のビスによって基板取付部材２８Ａに固定されている。
【００７４】
而して、本実施の形態では、光源基板３１を長手方向に３枚に分割し、各分割片３１−１，３１−２，３１−３の長手方向両端又は隣接する点光源３０間の中間の部位を基板取付部材２８Ａに固定したため、点光源３０が点灯して熱が発生しても、この熱による各分割片３１−１，３１−２，３１−３の熱膨張が小さく抑えられる。このため、各分割片３１−１，３１−２，３１−３の反りが防がれ、この結果、点光源３０と原稿面との距離が一定に保たれて原稿面の照度分布が均一となり、高質画像を安定的に得ることができる。尚、隣接する分割片３１−１と３１−２と分割片３１−２と３１−３の突き合わせ部間に微小な隙間を形成しておけば、この隙間によって各分割片３１−１，３１−２，３１−３の微小な熱膨張を吸収することができ、各分割片３１−１，３１−２，３１−３の反りを一層確実に防ぐことができる。
【００７５】
＜実施の形態２＞
次に、本発明の実施の形態２を図１５及び図１６に基づいて説明する。
【００７６】
図１５は本発明の実施の形態２に係る光源の取付構造を示す第１走査枠体の側面図、図１６は図１５の矢視Ｅ方向の図であり、これらの図においては図６及び図７に示したものと同一要素には同一符号を付しており、以下、それらについての再度の説明は省略する。
【００７７】
本実施の形態は、長手方向に３枚に分割された光源基板３１の各分割片３１−１，３１−２，３１−３を中間取付部材３３に取り付け、該中間取付部材３３を光源基板３１と共に第１走査枠体２８の基板取付部材２８Ａに位置決め固定することを特徴とする。
【００７８】
即ち、図１６に示すように、光源基板３１の各分割片３１−１，３１−２，３１−３の長手方向両端には取付孔３１ａがそれぞれ形成されており、中間取付部材３３の長手方向一端には円孔状の位置決め孔３３ａと取付孔３３ｂが形成され、長手方向他端には長孔状の位置決め孔３３ｃと取付孔３３ｄが形成されている。又、尚、図示しないが、基板取付部材２８Ａの長手方向両端部には円柱状の位置決め突起（半押し）とネジ孔がそれぞれ形成されている。
【００７９】
而して、光源基板３１の各分割片３１−１，３１−２，３１−３は、その長手方向両端部に形成された取付孔３１ａに挿通する不図示のビスによって中間取付部材３３にそれぞれ取り付けられる。
【００８０】
次に、光源基板３１の各分割片３１−１，３１−２，３１−３が取り付けられた中間取付部材３３の長手方向両端部に形成された位置決め孔３３ａ，３３ｃに基板取付部材２８Ａに形成された不図示の位置決め突起を嵌め込んで位置決めした後、該中間取付部材３３の長手方向両端部に形成された取付孔３３ｂ，３３ｄに挿通する不図示のビスを基板取付部材２８Ａに形成された不図示のネジ孔にネジ込むことによって、中間取付部材３３を光源基板３１と共に基板取付部材２８Ａに位置決め固定する。
【００８１】
ここで、中間取付部材３３は位置決め孔３３ａ，３３ｃを有しているため、光源基板３１を中間取付部材３３に対して治具にて位置調整した後に中間取付部材３３に高精度に取り付けることができる。そして、例えば、治具にて光源基板３１と中間取付部材３３を保持し、モータのパルス数で位置管理することも可能である。或は、点光源３０を点灯し、配光を確認しながら位置決めすることができる治具を用いれば、光源基板３１の中間取付部材３３への位置精度が更に高められる。尚、中間取付部材３３の基板取付部材２８Ａに対する位置決めは、位置決め突起２８ａの位置決め孔３３ａ，３３ｃへの嵌合に限らず、例えば基板取付部材２８Ａにピン等を立設し、このピン等を中間取付部材３３に形成された位置決め孔に貫通させる構成を採用しても良い。
【００８２】
而して、本実施の形態においても、光源基板３１を長手方向に３枚に分割し、各分割片３１−１，３１−２，３１−３の軸方向両端を中間取付部材３３に固定したため、各分割片３１−１，３１−２，３１−３の反りが防がれて高質画像を安定的に得ることができる他、光源基板３１と基板取付部材２８Ａとの間に中間取付部材３３を介在させたため、光源基板３１と基板取付部材２８Ａとの位置関係を高精度に保つことができる。
【００８３】
＜実施の形態３＞
次に、本発明の実施の形態３を図１７及び図１８に基づいて説明する。
【００８４】
図１７は本発明の実施の形態３に係る光源の取付構造を示す第１走査枠体の側面図、図１８は図１７の矢視Ｆ方向の図であり、これらの図においては図９及び図１０に示したものと同一要素には同一符号を付しており、以下、それらについての再度の説明は省略する。
【００８５】
本実施の形態は、第１走査枠体２８に切り起こしを形成することなく、長手方向に３枚に分割された光源基板３１の各分割片３１−１，３１−２，３１−３を略台形枠状の剛性の高い中間取付部材３４に取り付け、該中間取付部材３４を光源基板３１と共に第１走査枠体２８の平坦面に位置決め固定することを特徴とする。
【００８６】
即ち、図１８に示すように、光源基板３１の各分割片３１−１，３１−２，３１−３の長手方向両端には取付孔３１ａが形成されており、中間取付部材３４の一方のフランジ部３４Ｂの長手方向両端部には位置決め孔３４ｂが形成されている。又、図示しないが、第１走査枠体２８の幅方向両端縁の長手方向両端部と中間部の各３箇所にはネジ孔がそれぞれ形成されており、幅方向一端部の長手方向両端部には円柱状の位置決め突起（半押し）が突設されている。
【００８７】
而して、光源基板３１の各分割片３１−１，３１−２，３１−３は、その長手方向両端部に形成された取付孔３１ａに挿通する不図示のビスによって中間取付部材３４に取り付けられる。
【００８８】
次に、光源基板３１の各分割片３１−１，３１−２，３１−３が取り付けられた中間取付部材３４の長手方向両端部に形成された位置決め孔３４ｂに第１操作枠体２８に形成された不図示の位置決め突起を嵌め込んで中間取付部材３４を第１走査枠体２８に対して位置決めした後、該中間取付部材３４の両フランジ部３４Ａ，３４Ｂの各３箇所に形成された不図示の取付孔に挿通するビス３５を第１走査枠体２８に形成された不図示のネジ孔にネジ込むことによって、中間取付部材３４を光源基板３１と共に第１走査枠体２８に位置決め固定する。
【００８９】
ここで、中間取付部材３４は位置決め孔３４ｂを有しているため、前記実施の形態２と同様に、光源基板３１を中間取付部材３４に対して治具にて位置調整した後に中間取付部材３４に高精度に取り付けることができる。
【００９０】
而して、本実施の形態においても、前記実施の形態２と同様に、光源基板３１を長手方向に３枚に分割し、各分割片３１−１，３１−２，３１−３の軸方向両端を基板取付部材２８に固定したため、各分割片３１−１，３１−２，３１−３の反りが防がれて高質画像を安定的に得ることができる他、光源基板３１と基板取付部材２８との間に中間取付部材３４を介在させたため、光源基板３１と基板取付部材２８との位置関係を高精度に保つことができるという効果が得られる。そして、本実施の形態では、中間取付部材３４の剛性が高く、第１走査枠体２８に切り起こしが形成されていないため、これらの強度アップを図ることができる。
【００９１】
尚、以上の実施の形態１〜３においては、光源基板３１を長手方向に３分割片したが、その分割数と各分割片の取付位置及び取付点数は任意に設定することができる。
【図面の簡単な説明】
【００９２】
【図１】本発明に係る画像形成装置（カラー複写機）の正断面図である。
【図２】第１及び第２発明に係る画像読取装置の正断面図である。
【図３】第１及び第２発明に係る画像読取装置の平面図である。
【図４】第１及び第２発明の実施の形態１に係る光源の取付構造を示す第１走査枠体の側面図である。
【図５】図４の矢視Ａ方向の図である。
【図６】第１及び第２発明の実施の形態２に係る光源の取付構造を示す第１走査枠体の側面図である。
【図７】図６の矢視Ｂ方向の図である。
【図８】第１及び第２発明の実施の形態２における中間取付部材の基板取付部材への取付要領を示す側面図である。
【図９】第１及び第２発明の実施の形態３に係る光源の取付構造を示す第１走査枠体の側面図である。
【図１０】図９の矢視Ｃ方向の図である。
【図１１】第１及び第２発明の実施の形態３における中間取付部材の基板取付部材への取付要領を示す側面図である。
【図１２】第３発明に係る画像読取装置の平面図である。
【図１３】第３発明の実施の形態１に係る光源の取付構造を示す第１枠体の側面図である。
【図１４】（ａ），（ｂ）は図１３の矢視Ｄ方向の図である。
【図１５】第３発明の実施の形態２に係る光源の取付構造を示す第１走査枠体の側面図である。
【図１６】図１５の矢視Ｅ方向の図である。
【図１７】第３発明の実施の形態３に係る光源の取付構造を示す第１走査枠体の側面図である。
【図１８】図１７の矢視Ｆ方向の図である。
【符号の説明】
【００９３】
１Ｍ，１Ｃ，１Ｙ，１ＢＫ  画像形成ユニット（画像形成手段）
２ａ，２ｂ，２ｃ，２ｄ    感光ドラム
３ａ，３ｂ，３ｃ，３ｄ    一次帯電器
４ａ，４ｂ，４ｃ，４ｄ    現像装置
５ａ，５ｂ，５ｃ，５ｄ    転写ローラ
６ａ，６ｂ，６ｃ，６ｄ    ドラムクリーニング装置
７ａ，７ｂ，７ｃ，７ｄ    トナー補給装置
８                        中間転写ベルト
９                        二次転写対向ローラ
１０                      テンションローラ
１１                      二次転写ローラ
１２                      搬送パス
１３                      ピックアップローラ
１４                      排紙トレイ
１５                      給紙ローラ対
１６                      レジストローラ対
１７                      定着装置
１７ａ                    定着ローラ
１７ｂ                    加圧ローラ
１８                      排紙ローラ対
２０                      画像読取装置
２１                      コンタクトガラス
２２                      光源
２３，２４，２５          ミラー
２６                      レンズ
２７                      ＣＣＤセンサ
２８                      第１走査枠体
２８Ａ                    基板取付部材
２８Ｂ                    反射板取付部材
２８ａ                    位置決め突起
２８ｂ                    ネジ孔
２９                      第２走査枠体
３０                      点光源
３１                      光源基板
３１−１〜３１−３        光源基板の分割片
３１ａ，３１ｂ            取付孔
３２                      反射板
３３                      中間取付部材
３３ａ，３３ｃ            位置決め孔
３３ｂ，３３ｄ            取付孔
３４                      中間取付部材
３４Ａ，３４Ｂ            中間取付部材のフランジ部
３４ａ                    取付孔
３４ｂ                    位置決め孔
３５                      ビス
４０                      レーザースキャナユニット
５０                      給紙カセット
１００                    複写機本体
Ｇ                        原稿
Ｘ                        画像読取位置
【図１】
2008102380.tif 000003
【図２】
2008102380.tif 000004
【図３】
2008102380.tif 000005
【図４】
2008102380.tif 000006
【図５】
2008102380.tif 000007
【図６】
2008102380.tif 000008
【図７】
2008102380.tif 000009
【図８】
2008102380.tif 000010
【図９】
2008102380.tif 000011
【図１０】
2008102380.tif 000012
【図１１】
2008102380.tif 000013
【図１２】
2008102380.tif 000014
【図１３】
2008102380.tif 000015
【図１４】
2008102380.tif 000016
【図１５】
2008102380.tif 000017
【図１６】
2008102380.tif 000018
【図１７】
2008102380.tif 000019
【図１８】
2008102380.tif 000020